(57)【特許請求の範囲】
【請求項１】
各種教育機関において園児、児童、生徒、学生等に配布される、印刷用紙、複写用紙、画用紙、色紙、原稿用紙等の配布用紙を前記各種教育機関に提供するための配布用紙提供システムであって、
前記各種教育機関に設けられた学校側端末によって出力された、該各種教育機関における広告の需要及び前記配布用紙の需要枚数の情報としての需要情報を集計し管理する枚数集計管理手段と、
広告を提供する広告主が使用する広告主端末によって出力された、前記広告の提供の希望状況としての広告希望情報を取得し管理する広告希望情報取得管理手段と、
前記各種教育機関の要求に基づいて前記配布用紙に印刷を行い該印刷された前記配布用紙を前記各種教育機関に配送する印刷・配送業者が使用する印刷・配送業者端末によって出力された、前記印刷及び前記配送の請負の希望状況としての印刷・配送請負希望情報を取得し管理する請負希望情報取得管理手段と、
前記請負希望情報取得管理手段によって管理された前記印刷配送請負希望情報を出力した前記印刷・配送業者端末に対し、前記枚数集計管理手段によって管理される前記需要情報及び前記広告希望情報取得管理手段によって管理された前記広告希望情報とに基づいて、前記配布用紙の裏面に前記広告の印刷を指示する印刷指示情報を送信する広告印刷指示手段と、
前記請負希望情報取得管理手段によって管理された前記印刷配送請負希望情報を出力した前記印刷・配送業者端末に対し、前記広告が印刷された前記配布用紙を前記各種教育機関に配送する時期、及び配送枚数を指示するための納品情報を出力し、前記印刷・配送業者端末から前記配布用紙の配送を完了した情報としての配送完了情報を取得する納品管理手段とを備えたことを特徴とする配布用紙提供システム。
【請求項２】
前記枚数集計管理手段は、前記学校側端末によって出力された前記需要枚数に対し、印刷に失敗する可能性の高い枚数としての予想失敗枚数を算出し、前記需要枚数に前記予想失敗枚数を加算して得た値を前記需要枚数の情報として管理することを特徴とする請求項１に記載の配布用紙提供システム。
【請求項３】
前記広告希望情報取得管理手段は、前記広告の提供を希望する前記広告主が複数存在する場合における、前記広告希望情報に基づいて前記配布用紙に印刷する前記広告を決定するためのオークションを実行すると共に、
前記請負希望情報取得管理手段は、前記印刷を希望する前記印刷業者が複数存在する場合における、前記請負希望情報に基づいて前記印刷及び前記配送を請負わせる前記印刷・配送業者を決定するための競争入札を実行することを特徴とする請求項１又は２に記載の配布用紙提供システム。
【請求項４】
前記広告主端末、及び、前記広告に掲載されたサービス又は商品を提供するサービス・商品提供者端末から出力された、無償又は有償のサービス又は商品の提供情報としてのサービスコンテンツを管理するサービスコンテンツ提供手段を備え、
該サービスコンテンツ提供手段は、前記各種教育機関に通う前記園児、前記児童、前記生徒、前記学生等の保護者が使用する保護者用端末から出力された、前記サービスコンテンツの供給を要求する供給要求情報と、前記サービスコンテンツとを照合し、前記供給要求情報を出力した前記保護者用端末に対し、前記供給要求情報に対応する前記サービスコンテンツを提供することを特徴とする請求項１乃至３の何れか一つに記載の配布用紙提供システム。
【請求項５】
コンピュータを請求項１乃至４の配布用紙提供システムとして機能させることを特徴とするプログラム。
【発明の詳細な説明】
【技術分野】
【０００１】
本発明は、学校等の各種教育機関において園児、児童、生徒、学生等に配布される、印刷用紙、画用紙、色紙、原稿用紙等の配布用紙の裏面に広告を印刷し、該印刷された配布用紙を各種教育機関に提供するための技術に関する。
【背景技術】
【０００２】
幼稚園、小中学校、高等学校、大学、図書館等の各種教育機関（以下単に「各種教育機関」と称する。本明細書において同じ。）においては、園児、児童、生徒、学生等に対し印刷物、複写物、画用紙、色紙、原稿用紙等を配布する。そのため、各種教育機関においては、印刷用紙、コピー用紙、画用紙、色紙、原稿用紙等の配布用紙（以下単に「配布用紙」と称する。本明細書において同じ。）を大量に購入する必要がある。従来、各種教育機関が配布用紙を購入する際、ネットワークシステムを用いて発注するシステムが提案されている（例えば、特許文献１参照）。
【特許文献１】特開２００４−３０２６５０号公報
【発明の開示】
【発明が解決しようとする課題】
【０００３】
しかし、各種教育機関が配布用紙を大量に購入すれば、膨大な購入費用が必要になるが、上記特許文献１に記載の発明によって配布用紙を発注した場合においても購入費用の問題は解決されないという問題がある。また、各種教育機関に配布用紙を配送し供給する業者も、いつどの程度の発注がくるか判らないために大量の配布用紙の在庫を保有しなければならず、高い在庫リスクを抱えてしまうという問題がある。一方、自らが提供する商品・サービス等の広告を行うメーカやサービス業者等の広告主（以下単に「広告主」と称する。本明細書において同じ。）が各種教育機関に通う園児、児童、生徒、学生等の保護者に対して広告を行いたい場合も考えられるが、広告主が独力で広告の需要がある各種教育機関を探して広告効果の高いやり方で広告を行うことは困難であるという問題がある。
【０００４】
本発明はこのような問題に鑑みてなされたものであり、各種教育機関における配布用紙の購入費用の節減を可能ならしめると共に、配送業者の的確な在庫管理を可能にし、広告主に各種教育機関における広告効果の高い広告の機会を提供できる配布用紙提供システムを提供することを課題としている。
【課題を解決するための手段】
【０００５】
かかる課題を解決するために、請求項１に記載の発明は、各種教育機関において園児、児童、生徒、学生等に配布される、印刷用紙、複写用紙、画用紙、色紙、原稿用紙等の配布用紙を前記各種教育機関に提供するための配布用紙提供システムであって、前記各種教育機関に設けられた学校側端末によって出力された、該各種教育機関における広告の需要及び前記配布用紙の需要枚数の情報としての需要情報を集計し管理する枚数集計管理手段と、広告を提供する広告主が使用する広告主端末によって出力された、前記広告の提供の希望状況としての広告希望情報を取得し管理する広告希望情報取得管理手段と、前記各種教育機関の要求に基づいて前記配布用紙に印刷を行い該印刷された前記配布用紙を前記各種教育機関に配送する印刷・配送業者が使用する印刷・配送業者端末によって出力された、前記印刷及び前記配送の請負の希望状況としての印刷・配送請負希望情報を取得し管理する請負希望情報取得管理手段と、前記請負希望情報取得管理手段によって管理された前記印刷配送請負希望情報を出力した前記印刷・配送業者端末に対し、前記枚数集計管理手段によって管理される前記需要情報及び前記広告希望情報取得管理手段によって管理された前記広告希望情報とに基づいて、前記配布用紙の裏面に前記広告の印刷を指示する印刷指示情報を送信する広告印刷指示手段と、前記請負希望情報取得管理手段によって管理された前記印刷配送請負希望情報を出力した前記印刷・配送業者端末に対し、前記広告が印刷された前記配布用紙を前記各種教育機関に配送する時期、及び配送枚数を指示するための納品情報を出力し、前記印刷・配送業者端末から前記配布用紙の配送を完了した情報としての配送完了情報を取得する納品管理手段とを備えたことを特徴とする。
【０００６】
請求項２に記載の発明は、請求項１に記載の構成に加え、前記枚数集計管理手段は、前記学校側端末によって出力された前記需要枚数に対し、印刷に失敗する可能性の高い枚数としての予想失敗枚数を算出し、前記需要枚数に前記予想失敗枚数を加算して得た値を前記需要枚数の情報として管理することを特徴とする。
【０００７】
請求項３に記載の発明は、請求項１又は２に記載の構成に加え、前記広告希望情報取得管理手段は、前記広告の提供を希望する前記広告主が複数存在する場合における、前記広告希望情報に基づいて前記配布用紙に印刷する前記広告を決定するためのオークションを実行すると共に、前記請負希望情報取得管理手段は、前記印刷を希望する前記印刷業者が複数存在する場合における、前記請負希望情報に基づいて前記印刷及び前記配送を請負わせる前記印刷・配送業者を決定するための競争入札を実行することを特徴とする。
【０００８】
請求項４に記載の発明は、請求項１乃至３の何れか一つに記載の構成に加え、前記広告主端末、及び、前記広告に掲載されたサービス又は商品を提供するサービス・商品提供者端末から出力された、無償又は有償のサービス又は商品の提供情報としてのサービスコンテンツを管理するサービスコンテンツ提供手段を備え、
【０００９】
該サービスコンテンツ提供手段は、前記各種教育機関に通う前記園児、前記児童、前記生徒、前記学生等の保護者が使用する保護者用端末から出力された、前記サービスコンテンツの供給を要求する供給要求情報と、前記サービスコンテンツとを照合し、前記供給要求情報を出力した前記保護者用端末に対し、前記供給要求情報に対応する前記サービスコンテンツを提供することを特徴とする。
【００１０】
請求項５に記載の発明は、プログラムであって、コンピュータを請求項１乃至４の配布用紙提供システムとして機能させることを特徴とする。
【発明の効果】
【００１１】
請求項１に記載の発明によれば、枚数集計管理手段が各種教育機関における広告の需要を需要情報として集計し管理し、広告希望情報取得管理手段が広告の提供の希望状況を広告希望情報として取得し管理し、広告印刷指示手段が需要情報と広告希望情報とに基づいて印刷・配送業者端末に対して配布用紙の裏面に広告の印刷を指示し、納品管理手段が印刷・配送業者端末に対し、広告が印刷された配布用紙を各種教育機関に配送する時期、及び配送枚数を指示する納品情報を出力し、印刷・配送業者端末から配布用紙の配送を完了した情報としての配送完了情報を取得することにより、各種教育機関において配布用紙の裏面を使った広告を行うことが可能になる。また、広告主から取得される広告掲載料を各種教育機関における配布用紙の購入費用に充当することができるため、システムを利用する各種教育機関は配布用紙を低価格又は無償で購入することが可能になる。さらに、各種教育機関に通う園児、児童、生徒、学生等の保護者の目に触れやすい配布用紙の裏面に広告を掲載させることになるため、保護者に対する高い広告効果を得ることができる。また、枚数集計管理手段が各種教育機関における配布用紙の需要枚数の情報を集計し管理し、請負希望情報取得管理手段が印刷・配送請負希望情報を取得し管理し、納品管理手段が印刷・配送業者端末に対し納品情報を出力し、印刷・配送業者端末から配送完了情報を取得することにより、印刷・配送業者の在庫リスクを低減させることができる。これにより、各種教育機関における配布用紙の購入費用の節減を可能ならしめると共に、配送業者の的確な在庫管理を可能にし、広告主に各種教育機関における広告効果の高い広告の機会を提供できる配布用紙提供システムを提供することができる。
【００１２】
請求項２に記載の発明によれば、枚数集計管理手段は、学校側端末によって出力された需要枚数に対し、印刷に失敗する可能性の高い枚数としての予想失敗枚数を算出し、需要枚数に予想失敗枚数を加算して得た値を需要枚数の情報として管理することにより、それぞれの各種教育機関において現実に必要とされる配布用紙の枚数を算出してこれら各種教育機関に提供することが可能になる。これにより、印刷に多少の失敗があったとしても、広告が印刷された配布用紙を園児、児童、生徒、学生等に配布して保護者に対する広告を行うことができ、広告主に各種教育機関における一層広告効果の高い広告の機会を提供できる。
【００１３】
請求項３に記載の発明によれば、広告希望情報取得管理手段は、広告の提供を希望する広告主が複数存在する場合に、配布用紙に印刷する広告を決定するためのオークションを実行すると共に、請負希望情報取得管理手段は、印刷を希望する印刷業者が複数存在する場合に、印刷及び配送を請負わせる印刷・配送業者を決定するための競争入札を実行することにより、配布用紙提供システムの統括・管理者にとって条件のよい広告条件、及び印刷・配送条件を提示した広告主、及び印刷・配送業者に、それぞれ広告、及び印刷・配送を行わせることができる。これにより、配布用紙提供システムの円滑な運用を実現すると共に、各種教育機関における配布用紙の購入費用の節減を一層促進できる。
【００１４】
請求項４に記載の発明によれば、サービスコンテンツ提供手段は、サービス又は商品の提供情報をサービスコンテンツとして管理すると共に、保護者用端末から出力された供給要求情報とサービスコンテンツとを照合し、供給要求情報を出力した保護者用端末に対し、供給要求情報に対応するサービスコンテンツを提供することにより、広告に付随するサービスや商品を各種教育機関の園児、児童、生徒、学生の保護者に提供することが可能になる。これにより、保護者に対してもシステムの利用機会を提供してシステムの利用者を増やし、各種教育機関における配布用紙の一層の購入費用の節減と広告主に対する一層高い広告効果とを提供できる。
【００１５】
請求項５に記載の発明によれば、本発明の配布用紙提供システムをプログラム化し、多様なコンピュータハードウェア上で実現させることができる。
【発明を実施するための最良の形態】
【００１６】
以下、この発明の一の実施形態について図面を参照して説明する。
【００１７】
図１は、この実施形態の配布用紙提供システム１Ａのネットワーク構成図及び機能ブロック図である。同図に示すとおり、配布用紙提供システム１Ａは、裏面広告提供管理装置１と、ｎ個（ｎ≧１）の学校側端末２１，・・・，２ｎと、ｍ個（ｍ≧１）の印刷・配送業者端末３１，・・・，３ｍと、ｋ個（ｋ≧１）の保護者用端末４１，・・・，４ｋと、ｊ個（ｊ≧１）の広告主端末５１，・・・，５ｊと、ｉ個（ｉ≧１）個のサービス・商品提供者端末６１，・・・，６ｉと、各種事業体端末７と有するクライアント・サーバシステムであり、それらはＷＡＮ（Wide Area Network）としてのインターネット８，８を介して相互に交信可能である。
【００１８】
裏面広告提供管理装置１はサーバコンピュータであり、各端末とデータを交信し、また交信により取得したデータを加工、記録する。学校側端末２１，・・・，２ｎはｎ校の各種教育機関に設けられたクライアント端末、印刷・配送業者端末３１，・・・，３ｍはｍ社の印刷・配送業者（各種教育機関の要求に基づいて配布用紙に印刷を行い、印刷された前記配布用紙を前記各種教育機関に配送する業者のこと。本明細書において同じ。）に設けられたクライアント端末、保護者用端末４１，・・・，４ｋは各種教育機関の園児、児童、生徒、学生の保護者がそれぞれ使用するｋ個のクライアント端末、広告主端末５１，・・・，５ｊは広告主であるｊ社の広告業者にそれぞれ設けられたクライアント端末、サービス・商品提供者端末６１，・・・，６ｉはｉ社のサービス・商品提供者（広告に掲載されたサービス又は商品を提供する人又は業者のこと。本明細書において同じ。）にそれぞれ設けられたクライアント端末、各種事業体端末７は教育委員会、自治体、ＮＰＯ等の各種事業体（以下単に「各種事業体」と称する。本明細書において同じ。）に設けられたクライアント端末であり、それぞれ、通信機能を持つパーソナルコンピュータ、携帯電話、携帯情報端末等からなる。
【００１９】
図示しないが、裏面広告提供管理装置１、学校側端末２１，・・・，２ｎ、印刷・配送業者端末３１，・・・，３ｍ、保護者用端末４１，・・・，４ｋ、広告主端末５１，・・・，５ｊ、サービス・商品提供者端末６１，・・・，６ｉ、各種事業体端末７は、それぞれ、少なくとも１のＣＰＵ、ＲＡＭ、ＲＯＭ、各種データやプログラムが記録された補助記憶装置、マウスやキーボード等各種指示を入力するために用いられる操作部、ＬＣＤ（Liquid Crystal Display）等からなり操作部から入力された各種指示等や各種画像を表示する表示部を有している。なお学校側端末２１，・・・，２ｎ、印刷・配送業者端末３１，・・・，３ｍ、保護者用端末４１，・・・，４ｋ、広告主端末５１，・・・，５ｊ、サービス・商品提供者端末６１，・・・，６ｉは何れも同じ構成をとるので、以下説明の簡単のため、特に区別する必要がある場合を除き、学校側端末２、印刷・配送業者端末３、保護者用端末４、広告主端末５、サービス・商品提供者端末６とする。
【００２０】
図１に示す通り、裏面広告提供管理装置１はプログラムの実行によって実現される機能手段として、申込集計部１１、「枚数集計管理手段」としての枚数集計・名簿作成部１２、「広告希望情報取得管理手段」及び「請負希望情報取得管理手段」としてのオークション・競争入札実行部１３、「広告印刷指示手段」としての広告作成・指示部１４、「納品管理手段」としての納品管理部１５、決済部１６、ユーザー登録部１７、「サービスコンテンツ提供手段」としてのサービスコンテンツ提供部１８、レポート＆結果集計部１９、データベース２０を有する。
【００２１】
申込集計部１１は、学校側端末２、印刷・配送業者端末３、保護者用端末４、広告主端末５、サービス・商品提供者端末６、各種事業体端末７から送信された、配布用紙提供システム１Ａの趣旨に賛同・同意してシステムの利用を申込む情報を受信し集計する。枚数集計・名簿作成部１２は、学校側端末によって出力された、各種教育機関における広告の需要及び配布用紙の需要枚数の情報としての需要情報を集計し管理する。枚数集計・名簿作成部１２は、学校側端末２によって出力された需要枚数に対し、印刷に失敗する可能性の高い枚数としての予想失敗枚数を算出し、需要枚数に予想失敗枚数を加算して得た値を需要枚数の情報として管理する機能を有する。
【００２２】
オークション・競争入札実行部１３は、広告主端末５によって出力された、広告の提供の希望状況としての広告希望情報を取得し管理すると共に、印刷・配送業者端末３によって出力された、印刷及び前記配送の請負の希望状況としての印刷・配送請負希望情報を取得し管理する。またオークション・競争入札実行部１３は、広告の提供を希望する広告主が複数存在する場合における、広告希望情報に基づいて配布用紙に印刷する広告を決定するためのオークションを実行すると共に、印刷を希望する印刷業者が複数存在する場合における、請負希望情報に基づいて印刷及び配送を請負わせる印刷・配送業者を決定するための競争入札を実行する。
【００２３】
広告作成・指示部１４は、広告主端末５から広告データを取得すると共に、オークション・競争入札実行部１３によって管理された印刷配送請負希望情報を出力した印刷・配送業者端末３に対し、枚数集計・名簿作成部１２によって管理される需要情報及びオークション・競争入札実行部１３によって管理された広告希望情報とに基づいて、配布用紙の裏面に広告の印刷を指示する印刷指示情報を送信する。納品管理部１５は、オークション・競争入札実行部１３によって管理された印刷配送請負希望情報を出力した印刷・配送業者端末３に対し、広告が印刷された配布用紙を各種教育機関に配送する時期、及び配送枚数を指示するための納品情報を出力し、印刷・配送業者端末３から配布用紙の配送を完了した情報としての配送完了情報を取得する。
【００２４】
決済部１６は、広告主端末５からの広告料の決済情報、印刷・配送業者端末３からの印刷・配送料の決済情報を取得管理する。ユーザー登録部１７は、配布用紙提供システム１Ａを利用できる保護者用端末４をユーザー登録する。サービスコンテンツ提供部１８は、広告主端末５、及び、広告に掲載されたサービス又は商品を提供するサービス・商品提供者端末６から出力された、無償又は有償のサービス又は商品の提供情報としてのサービスコンテンツ（以下単に「サービスコンテンツ」と称する。本明細書において同じ。）を管理する。レポート＆結果集計部１９は、保護者用端末４から送信された、サービスコンテンツに対するアンケート結果等を管理し、広告主端末５やサービス・商品提供者端末６に送信する。
【００２５】
データベース２０は、申込集計部１１、枚数集計・名簿作成部１２、オークション・競争入札実行部１３、広告作成・指示部１４、納品管理部１５、決済部１６、ユーザー登録部１７、サービスコンテンツ提供部１８がそれぞれ取得した情報のうち、各種教育機関に関する情報等を記録する学校データベース２１、広告主やサービス・商品提供者に関する情報等を記録する広告主データベース２２、印刷・配送業者に関する情報等を記録する印刷業者データベース２３、広告のデータ等を記録する広告データベース２４、サービスコンテンツに関する情報及びサービスコンテンツを利用する保護者の情報等を記録するサービスコンテンツデータベース２５を有している。また図示しないが、各種事業体に関する情報を記録するデータベースも設けられている。
【００２６】
次に、この実施形態の作用について説明する。
【００２７】
図２及び図３は、この実施形態の配布用紙提供システム１Ａの実行手順を示すフローチャートである。以下これらの図に基づいて実行手順を説明する。
【００２８】
＜配布用紙への広告印刷、及び広告を印刷した配布用紙の配送に関する手続＞
まず、配布用紙提供システム１Ａの利用を希望する各種教育機関の学校側端末２は、裏面広告提供管理装置１にアクセスする。裏面広告提供管理装置１は、学校側端末２の表示部に、図４にイメージ図を示す学校申込画面２００を表示させる。学校申込画面２００には、学校名、住所、電話番号、Ｅ−Ｍａｉｌ等の基本データ入力欄群２０１、生徒数、（生徒一人あたりの）年間希望枚数入力欄、（生徒数と年間希望枚数とを乗じた値である）希望枚数入力欄から枚数特定情報入力欄群２０２が表示される。図４に示すように、学校側端末２においてこれら入力欄群２０１、２０２に必要事項が入力されて実行ボタン２０３がクリックされると、裏面広告提供管理装置１は各種教育機関から配布用紙提供システム１Ａの趣旨への賛同・同意とシステムの利用の申込があったものとして処理を行う（ステップＳ１）。また、枚数集計・名簿作成部１２は基本データ入力欄群２０１に入力された事項に基づく各種教育機関名簿の作成と、枚数特定情報入力欄群２０２に入力された事項に基づく必要な配布用紙等の集計を行い、各入力欄群２０１、２０２に入力された事項を学校データベース２１に記録する（ステップＳ２）。
【００２９】
同様に、配布用紙提供システム１Ａの利用を希望する印刷・配布業者、保護者、広告主、サービス・商品提供者、各種事業者も、印刷・配送業者端末３、保護者用端末４、広告主端末５、サービス・商品提供者端末６、各種事業体端末７を用いて裏面広告提供管理装置１にアクセスして申込画面（図示せず）を表示させ、入力欄群（図示せず）に必要事項を記載して実行ボタン（図示せず）をクリックすると、裏面広告提供管理装置１は印刷・配布業者、保護者、広告主、サービス・商品提供者、各種事業者から配布用紙提供システム１Ａの趣旨への賛同・同意とシステムの利用の申込があったものとして処理を行い（ステップＳ１）。また、枚数集計・名簿作成部１２は入力欄群（図示せず）に入力された事項に基づく名簿の作成と、広告や印刷を行う配布用紙等の枚数の集計を行い、入力欄群（図示せず）に入力された事項を広告主データベース２２、印刷業者データベース２３等に記録する（ステップＳ２）。これにより、各端末２〜７を利用する各種教育機関、印刷・配送業者、保護者、広告主、サービス・商品提供者、各種事業体は配布用紙提供システム１Ａを利用可能になる。
【００３０】
ステップＳ２により各データベース２１〜２５が形成されたのち、裏面広告提供管理装置１の表示部には各種集計データが表示される。図５には集計データの一例として、学校側端末２から取得したデータに基づいて作成された集計データのイメージ図を示す。同図においては、各種教育機関１２１の所属する自治体名１２２、幼稚園、小学校、中学校等の学校区分１２３、視聴対象人数１２４、用紙希望数１２５が集計、算出されている。
【００３１】
ここで、視聴対象人数１２４の概数１２４１は、園児、児童、生徒、学生等の子供数に教員数を加算した合計数１２４２に、印刷に失敗する可能性の高い枚数としての予想失敗枚数を３％として算出し、合計数に予想失敗枚数を加算して得た数量１２４３の端数を切り上げて得た値であり、枚数集計・名簿作成部１２はこの概数１２４１をそれぞれの各種教育機関の需要枚数として学校データベース２１に記録する。合計数に予想失敗枚数を加えた数量を需要枚数とすることにより、広告効果を高めることができる。即ち、各種教育機関においては、印刷の失敗等により印刷の途中で広告が印刷された配布用紙がなくなったら、広告が印刷されていない印刷用紙を使って残りの印刷をしなければならなくなり、広告が印刷されていない印刷用紙が配布された園児、児童、生徒、学生等の父兄に対する広告効果が得られなくなるところ、需要枚数に予想失敗枚数が加えられていれば、印刷の途中で広告が印刷された配布用紙がなくなってしまう事態を防止できるからである。
【００３２】
また、概数１２４１に園児、児童、生徒、学生等、及び教員数それぞれ一人当たりの年間消費枚数１２５１を乗じたトータル枚数１２５２を算出・表示し、枚数集計・名簿作成部１２はこのトータル枚数１２５２も需要枚数として学校データベース２１に記録する。
【００３３】
また、裏面広告提供管理装置１の表示部には、同様に、印刷・配送業者端末３、保護者用端末４、広告主端末５、サービス・商品提供者端末６から取得した情報に基づいて作成された各種集計データも表示できる。これにより、裏面広告提供管理装置１においては、配布用紙提供システム１Ａの利用者の需要や供給の実態や傾向を把握し、それらに関する将来の動向も把握できる。
【００３４】
次に、オークション・競争入札実行部１３は、配布用紙に印刷する広告を決定するためのオークションを実行する（ステップＳ３）具体的には、まず広告主は裏面広告提供管理装置１にアクセスして広告主端末５にオークション画面を表示させる。図６に、オークション・競争入札実行部１３によって広告主端末５の表示部に表示されたオークション画面５００のイメージ図を示す。同図に示す通り、オークション画面５００には、ステップＳ２で広告主データベース２２に記録された当該広告主の広告希望エリアが希望エリア表示欄５０１に、学校データベースに記録された、当該広告希望エリアの世帯数（図５の合計数１２４２に相当）がエリア世帯数表示欄５０２に、オークション・競争入札実行部１３によって管理された、現在時刻までの広告希望エリアにおけるオークション状況表示欄５０３に表示されている。広告主は、会社名、業種、年間希望掲載回数、希望掲載料、掲載料合計を入力欄５０４に入力し、実行ボタン５０５をクリックする。オークション・競争入札実行部１３は、これらを広告主募集に対する広告主の応募として扱い、広告主データベース２２に記録する。符号５０６に示すオークション締切日時に達すると、オークション・競争入札実行部１３は応募に基づいて広告掲載対象の広告主を決定する。決定は、例えば希望価格５０７の高い上位５０社、のように、予め決められた所定の条件に基づいて行われる。
【００３５】
なお、オークションに際し、オークション・競争入札実行部１３は、広告主端末５からの要求に基づいて、図７にイメージ図を示す見積もり画面５１０を広告主端末５に表示させることもできる。同図に示す見積もり画面５１０は、オークション画面５００の希望エリア表示欄５０１に表示された希望エリアにおいて、入力欄５０４に入力された希望条件に基づいて広告を掲載する場合、対象となる各種教育機関ごとの見積もり小計表示欄５１１、及び見積もり小計表示欄５１１に表示された見積もり小計の総額５１２が表示されている。広告業者は、見積もり画面５１０を確認し入力欄５０４に入力する希望条件を調整できる。
【００３６】
ステップＳ３が完了すると、広告作成・指示部１４は応募のあった広告主端末５に広告データ（配布用紙の裏面に印刷する広告のデータ）の提供を求める。広告主が広告主端末５から広告データを送信すると、広告作成・指示部１４はこの広告データを取得し広告データベース２４に記録する（ステップ４）。
【００３７】
次に、オークション・競争入札実行部１３は、印刷及び配送を請負わせる印刷・配送業者を決定するための競争入札を実行する（ステップＳ５）。具体的には、まず印刷・配送業者は裏面広告提供管理装置１にアクセスして印刷・配送業者端末３に入札画面を表示させる。図８に、オークション・競争入札実行部１３によって印刷・配送業者端末３の表示部に表示された入札画面３００のイメージ図を示す。同図に示す通り、入札画面３００には、オークション・競争入札実行部１３によって管理された、現在時刻までの印刷・配送希望エリア（ステップＳ２で印刷業者データベース２３に記録）における入札状況表示欄３０１が表示されている。印刷・配送業者は、業者名、業者コード、住所、印刷・配送希望エリア、印刷・配送希望金額、希望期間を入力欄３０２に入力し、実行ボタン３０３をクリックする。オークション・競争入札実行部１３は、これらを入札として扱い、印刷業者データベース２３に記録する。符号３０４に示す入札締切日時に達すると、オークション・競争入札実行部１３は応募に基づいて印刷・配送を請負わせる印刷・配送業者を決定する。決定は、例えば希望価格３０５の安い５社、のように、予め決められた所定の条件に基づいて行われる。
【００３８】
入札が完了すると、広告作成・指示部１４は、請負が決定した印刷・配送業者の印刷・配送業者端末３に対して配布用紙の裏面に広告の印刷を指示する印刷指示情報を送信する（ステップＳ６）。具体的には、広告作成・指示部１４は、印刷・配送を請負う印刷・配送業者の印刷・配送業者端末３の表示部に、図９にイメージ図を示す印刷指示画面３１０を表示させる。この印刷指示画面３１０には、印刷業者欄３１１に表示された印刷・配送業者毎に、印刷・配送を請負う各種教育機関の情報３１２、各種教育機関の連絡先等の情報３１３、概数３１４、トータル枚数３１５、それぞれの各種教育機関における印刷・配送を請負う業者数情報３１６、概数３１４とトータル枚数３１５とを乗じて得た供給紙数情報３１７、配送エリア３１８、見積もり、請求表示欄３１９が表示される。印刷・配送業者は、印刷指示画面３１０を見て自己が請負った印刷・配送業務を確認できる。
【００３９】
更に、広告作成・指示部１４は、印刷・配送業務を請負った印刷・配送業者の印刷・配送業者端末３に対し、印刷対象となる広告のデータを送信する。印刷・配送業者は、取得した広告のデータに基づいて、配布用紙の裏面に広告を印刷する。図１０及び図１１に、印刷・配送業者によって印刷された配布用紙のイメージ図を示す。これらに示す通り、配布用紙は、表面３２Ａ，３３Ａは白紙であり、裏面３２Ｂ，３３Ｂには広告主の広告が掲載される。広告は、図１０に示すように裏面全面でもよいし、図１１に示すように裏面の一部のみでもよい。
【００４０】
そして、納品管理部１５は、印刷・配送業者端末３に対し、裏面３２Ｂ，３３Ｂに広告が印刷された配布用紙を各種教育機関に配送する時期、及び配送枚数を指示するための納品情報を出力する。印刷・配送業者は、納品情報に従って指定された各種教育機関に配布用紙を配送する。配送が完了すると、印刷・配送業者端末３は配送完了情報を送信する。納品管理部１５は配送完了情報を取得すると、配送業務完了の確認情報として印刷業者データベース２３に記録する。
【００４１】
配送が完了すると、決済部１６は、広告の掲載費用や印刷・配送費用、各種教育機関における配布用紙購入費用をデータベース２０に記録されたデータ（又は学校側端末２、印刷・配送業者端末３、広告主端末５からの入力）に基づいて計算し、広告主端末５（更に、場合によっては学校側端末２）に対する費用請求や、印刷・配送業者端末３に対する支払い処理を行う（ステップＳ６）。
【００４２】
＜保護者へのサービスコンテンツの提供に関する手続＞
【００４３】
サービスコンテンツの利用を希望する、各種教育機関に通う園児、児童、生徒、学生等の保護者は、まず、自らが使用する保護者用端末４を用いて裏面広告提供管理装置１にアクセスし、サービスコンテンツ提供部１８の提供するユーザー登録画面（図示せず）を表示させてユーザー登録を行う（ステップＳ１１）。
【００４４】
サービスコンテンツ提供部１８は、広告主端末５やサービス・商品提供者端末６にサービスコンテンツの提供者の募集情報を送信して提供者を募り、提供を受けたサービスコンテンツをサービスコンテンツデータベース２５に記録する（ステップＳ１２）。このとき、広告主やサービス・商品提供者と裏面広告提供管理装置１の管理者との間で決済が必要な場合、広告主端末５又はサービス・商品提供者端末６と裏面広告提供管理装置１との間で決済に関する情報の交信、及び記録も併せて行う。そして、ユーザー登録が完了した保護者の保護者用端末４に図１２にイメージ図を示すサービスコンテンツ表示画面４００を表示させ、サービスコンテンツを提供する（ステップＳ１３）保護者は、サービスコンテンツ表示画面４００に表示されたサービスコンテンツ群４０１のうち、提供を希望するサービスコンテンツのラジオボタン４０２をクリックし、実行ボタン４０３をクリックする。サービスコンテンツ提供部１８は、この保護者からサービスコンテンツの提供希望を取得してサービスコンテンツデータベース２５に記録する。
【００４５】
そして、応募期限４０４に表示された日時を経過したのち、サービスコンテンツ提供部１８は抽選を行い、サービスコンテンツの提供者を決定する（ステップＳ１４）。サービスコンテンツ提供部１８は、抽選により当選した保護者用端末４に当選報告を送信すると共に、当該サービスコンテンツの提供者である広告主の広告主端末５やサービス・商品提供者のサービス・商品提供者端末６に対し、サービスコンテンツの提供を指示する所定の情報を送信する。これにより、広告主から当選した保護者に対しサービスコンテンツが提供される。
【００４６】
サービスコンテンツの提供が完了したのち、レポート＆結果集計部１９は、サービスコンテンツの提供を受けた保護者の保護者用端末４に対し、サービスコンテンツの満足度を問うアンケートを送信する。保護者が保護者用端末４によりアンケート結果を送信すると、レポート＆結果集計部１９はアンケート結果を集計し、集計結果を、サービスコンテンツを提供した広告主の広告主端末５やサービス・商品提供者のサービス・商品提供者端末６に送信する（ステップＳ１６）。これにより、広告主やサービス・商品提供者は、自らが提供したサービスコンテンツの顧客満足度を確認し、将来の事業展開に役立てることができる。
【００４７】
＜各種事業体への寄付等＞
配布用紙提供システム１Ａの運用により得た収益の一部は、各種事業体に提供して公共の利益に供することも可能である。各種事業体に収益の一部を提供する際は、裏面広告提供管理装置１から各種事業体端末７に対して収益の一部を供与する旨の情報の送信を行う。
【００４８】
以上、この実施形態においては、枚数集計・名簿作成部１１が各種教育機関における広告の需要を需要情報として集計し管理し、オークション・競争入札実行部１３が広告の提供の希望状況を広告希望情報として取得し管理し、広告作成・指示部１４が需要情報と広告希望情報とに基づいて印刷・配送業者端末３に対して配布用紙の裏面３２Ｂ，３３Ｂに広告の印刷を指示し、納品管理部１５が印刷・配送業者端末３に対し、広告が印刷された配布用紙を各種教育機関に配送する時期、及び配送枚数を指示する納品情報を出力し、印刷・配送業者端末３から配布用紙の配送を完了した情報としての配送完了情報を取得することにより、各種教育機関において配布用紙の裏面３２Ｂ，３３Ｂを使った広告を行うことが可能になる。また、広告主から取得される広告掲載料を各種教育機関における配布用紙の購入費用に充当することができるため、配布用紙提供システム１Ａを利用する各種教育機関は配布用紙を低価格又は無償で購入することが可能になる。さらに、各種教育機関に通う園児、児童、生徒、学生等の保護者の目に触れやすい配布用紙の裏面に広告を掲載させることになるため、保護者に対する高い広告効果を得ることができる。また、枚数集計・名簿作成部１２が各種教育機関における配布用紙の需要枚数の情報を集計し管理し、オークション・競争入札実行部１３が印刷・配送請負希望情報を取得し管理し、納品管理部１５が印刷・配送業者端末３に対し納品情報を出力し、印刷・配送業者端末３から配送完了情報を取得することにより、印刷・配送業者の在庫リスクを低減させることができる。これにより、各種教育機関における配布用紙の購入費用の節減を可能ならしめると共に、配送業者の的確な在庫管理を可能にし、広告主に各種教育機関における広告効果の高い広告の機会を提供できる配布用紙提供システム１Ａを提供することができる。
【００４９】
この実施形態においては、枚数集計・名簿作成部１２は、学校側端末２によって出力された需要枚数に対し、印刷に失敗する可能性の高い枚数としての予想失敗枚数を算出し、需要枚数に予想失敗枚数を加算して得た値を需要枚数の情報として管理することにより、それぞれの各種教育機関において現実に必要とされる配布用紙の枚数を算出してこれら各種教育機関に提供することが可能になる。これにより、印刷に多少の失敗があったとしても、広告が印刷された配布用紙を園児、児童、生徒、学生等に配布して保護者に対する広告を行うことができ、広告主に各種教育機関における一層広告効果の高い広告の機会を提供できる。
【００５０】
この実施形態においては、オークション・競争入札実行部１３は、広告の提供を希望する広告主が複数存在する場合に、配布用紙に印刷する広告を決定するためのオークションを実行すると共に、印刷を希望する印刷業者が複数存在する場合に、印刷及び配送を請負わせる印刷・配送業者を決定するための競争入札を実行することにより、配布用紙提供システム１Ａの統括・管理者にとって条件のよい広告条件、及び印刷・配送条件を提示した広告主、及び印刷・配送業者に、それぞれ広告、及び印刷・配送を行わせることができる。これにより、配布用紙提供システム１Ａの円滑な運用を実現すると共に、各種教育機関における配布用紙の購入費用の節減を一層促進できる。
【００５１】
この実施形態においては、サービスコンテンツ提供部１８は、サービス又は商品の提供情報をサービスコンテンツとして管理すると共に、保護者用端末４から出力された供給要求情報とサービスコンテンツとを照合し、供給要求情報を出力した保護者用端末４に対し、供給要求情報に対応するサービスコンテンツを提供することにより、広告に付随するサービスや商品を各種教育機関の園児、児童、生徒、学生の保護者に提供することが可能になる。これにより、保護者に対してもシステムの利用機会を提供してシステムの利用者を増やし、各種教育機関における配布用紙の一層の購入費用の節減と広告主に対する一層高い広告効果とを提供できる。
【００５２】
なお、上記実施形態においては、配布用紙に広告を掲載する広告主をオークションで決定し、配布用紙に広告を印刷し配送する印刷・配送業者を入札によって決定したが、これらオークションや入札のうち少なくとも何れか一方を行わず、任意の手段、例えば広告を掲載した配布用紙を使用する各種教育機関や裏面広告提供管理装置１の管理者が独自の基準で選択するものとしてもよい。
【００５３】
また、上記実施形態においては、サービスコンテンツの提供と各種事業体への寄付等とを行うが、これらのうち少なくとも何れか一方を行わなくてもよい。
【００５４】
上記実施形態は本発明の例示であり、本発明が上記実施形態に限定されることを意味するものではないことは、いうまでもない。
【図面の簡単な説明】
【００５５】
【図１】本実施形態の配布用紙提供システムのネットワーク構成図及び機能ブロック図である。
【図２】同上配布用紙提供システムの、配布用紙への広告印刷、及び広告を印刷した配布用紙の配送に関する手続の実行手順を示すフローチャートである。
【図３】同上配布用紙提供システムの、保護者へのサービスコンテンツの提供に関する手続の実行手順を示すフローチャートである。
【図４】同上配布用紙提供システムにおいて、学校側端末の表示部に表示される学校申込画面のイメージ図である。
【図５】同上配布用紙提供システムにおいて、裏面広告提供管理装置の表示部に表示される集計データのイメージ図である。
【図６】同上配布用紙提供システムにおいて、広告主端末の表示部に表示されたオークション画面のイメージ図である。
【図７】同上配布用紙提供システムにおいて、広告主端末の表示部に表示された見積もり画面のイメージ図である。
【図８】同上配布用紙提供システムにおいて、印刷・配送業者端末の表示部に表示された入札画面のイメージ図である。
【図９】同上配布用紙提供システムにおいて、印刷・配送業者端末の表示部に表示される印刷指示画面のイメージ図である。
【図１０】同上配布用紙提供システムにおいて、印刷・配送業者によって印刷された配布用紙のイメージ図である。
【図１１】同上配布用紙提供システムにおいて、印刷・配送業者によって印刷された配布用紙のイメージ図である。
【図１２】同上配布用紙提供システムにおいて、保護者用端末の表示部に表示されるサービスコンテンツ表示画面のイメージ図である。
【符号の説明】
【００５６】
１Ａ・・・配布用紙提供システム
２，２１，・・・，２ｎ・・・学校側端末
３，３１，・・・，３ｍ・・・印刷・配送業者端末
４，４１，・・・，４ｋ・・・保護者用端末
５，５１，・・・，５ｊ・・・広告主端末
６，６１，・・・，６ｉ・・・サービス・商品提供者端末
１２・・・枚数集計・名簿作成部（枚数集計管理手段）
１３・・・オークション・競争入札実行部（広告希望情報取得管理手段、請負希望情報取得管理手段）
１４・・・広告作成・指示部（広告印刷指示手段）
１５・・・納品管理部（納品管理手段）
１８・・・サービスコンテンツ提供部（サービスコンテンツ提供手段）
３２Ｂ，３３Ｂ・・・裏面
【図１】
0005156471.tif 000002
【図２】
0005156471.tif 000003
【図３】
0005156471.tif 000004
【図４】
0005156471.tif 000005
【図５】
0005156471.tif 000006
【図６】
0005156471.tif 000007
【図７】
0005156471.tif 000008
【図８】
0005156471.tif 000009
【図９】
0005156471.tif 000010
【図１０】
0005156471.tif 000011
【図１１】
0005156471.tif 000012
【図１２】
0005156471.tif 000013